(57)【要約】      （修正有）【課題】棺と、棺内に敷設される布団と、枕とに冷却ユニットを配置して効率的にそれぞれ冷却すると共に、火葬温度を低減できる棺構造を提供する。【解決手段】棺構造は、棺の上面に設けられ電子冷却素子の冷却面が内向きに配置された棺用冷却ユニット２と、棺内の布団の内側で電子冷却素子の冷却面が下向きに配置され遺体の身体の上に載置可能に設けられる布団冷却ユニット４およびまたは棺内の枕の外側で電子冷却素子の冷却面が上向きに配置されて遺体の頭部の下に配置される枕冷却ユニット６とからなっている。また、棺内に残留する経帷子や布団、綿などの繊維製品は紙製からなっている。【選択図】図４
0003202200.tif 000002
【実用新案登録請求の範囲】
【請求項１】
棺の上面に設けられ電子冷却素子の冷却面が内向きに配置された棺用冷却ユニットと、棺内の布団の内側で電子冷却素子の冷却面が下向きに配置され遺体の上に載置可能に設けられる布団冷却ユニットおよびまたは棺内の枕の外側で電子冷却素子の冷却面が上向きに配置されて遺体の頭部の下に配置される枕冷却ユニットとからなっていることを特徴とする棺構造。
【請求項２】
棺構造が、棺用冷却ユニットと、布団冷却ユニットと、枕冷却ユニットとからなっていることを特徴とする請求項１に記載の棺構造。
【請求項３】
棺用冷却ユニットは、電子冷却素子の少なくとも冷却面に、棺の上縁に載せうる大きさのアルミニウム盤が取り付けられていることを特徴とする請求項１または２に記載の棺構造。
【請求項４】
布団冷却ユニットが、アルミニウムの粉末を混入したシリコンゴムシートに内蔵されていることを特徴とする請求項１または２に記載の棺構造。
【請求項５】
棺用冷却ユニットの上面の排熱側に送風ファンが取り付けられていることを特徴とする請求項１から４のいずれかに記載の棺構造。
【請求項６】
棺内から全部の冷却ユニットを除去した状態で残留する火葬用繊維製品が、植物性パルプに楮パルプを混合した状態の紙製生地や綿状パルプからなっていることを特徴とする請求項１に記載の棺構造。
【考案の詳細な説明】
【技術分野】
【０００１】
本考案は、棺と、棺内に敷設される掛け布団と、枕とに冷却ユニットを配置してそれぞれ冷却することができ、火葬に際しては冷却ユニットを取り外して使用する棺構造に関する。
【背景技術】
【０００２】
従来の棺の冷却は、二酸化炭素の固体であるドライアイスを棺の内部に挿入して棺内を冷却してきたが、ドライアイスは気化する際に二酸化炭素のガスを発生するので、棺が置かれた室内の空気が汚染される欠点があり、また棺内に安置された遺体の顔肌の色が黒くくすむという問題があった。
また、棺の担当者は、ドライアイスが気化して無くなる前に一定間隔毎にドライアイスの補給をする必要があり、交換のための時間と手間が必要とされる。
そこで、特開２０１５−１７３９０８の棺に付属する装置では、棺の内部に収容した遺体を２方向から囲む形態で電極を配置し、付属装置内には、電場発生用電源装置が収納され、上記電極に微弱電流交流高電圧を供給し、さらに冷却装置が収納されており、−７℃〜０℃の冷却空気を供給する。またさらに乾湿調整装置が収納された構造が開示されているが、装置が大型化すると共に、棺内に冷気や乾湿気の空気を流通させるので、装置や棺が大型化してしまう欠点がある。
また、特開２００７−１４４０５９の冷却棺桶装置では、冷却棺桶装置を構成する天板に、ペルチェ素子による板状の冷却ユニットを取り付け、該冷却ユニットは、頭部側側板、脚部側側板、右側側板、左側側板、底板に複数設けられてもよいとの構造が開示されている。
しかし、冷却ユニットは、棺桶側にのみ取り付けられ、冷却側が棺桶の内側の空間に面するように配置するが、棺桶内部の空間を冷却するには多くの冷却ユニットが必要となるという不具合がある。
そこで、簡単な構成で、必要な箇所を冷却することができる棺構造の開発が待たれていた。
【先行技術文献】
【特許文献】
【０００３】
【特許文献１】特開２０１５−１７３９０８号公報
【特許文献２】特開２００７−１４４０５９号公報
【考案の概要】
【考案が解決しようとする課題】
【０００４】
この考案が解決しようとする問題点は、ペルチェ素子のような電子冷却素子を、棺用、布団用、枕用にそれぞれ冷却させるようにした棺構造を提供することにある。
【課題を解決するための手段】
【０００５】
本考案は、上記課題を達成するために、請求項１の考案では、
棺の上面に設けられ電子冷却素子の冷却面が内向きに配置された棺用冷却ユニットと、棺内の布団の内側で電子冷却素子の冷却面が下向きに配置され遺体の身体の上に載置可能に設けられる布団冷却ユニットおよびまたは棺内の枕の外側で電子冷却素子の冷却面が上向きに配置されて遺体の頭部の下に配置される枕冷却ユニットとからなっていることを特徴とする。
請求項２の考案では、
棺構造が、棺用冷却ユニットと、布団冷却ユニットと、枕冷却ユニットとからなっていることを特徴とする。
請求項３の考案では、棺用冷却ユニットは、電子冷却素子の少なくとも冷却面に、棺の上縁に載せうる大きさのアルミニウム盤が取り付けられていることを特徴とする。
請求項４の発明では、布団冷却ユニットが、アルミニウムの粉末を混入したシリコンゴムシートに内蔵されていることを特徴とする。
請求項５の考案では、棺用冷却ユニットの上面の排熱側に送風ファンが取り付けられていることを特徴とする。
請求項６の考案では、
棺内から全部の冷却ユニットを除去した状態で残留する火葬用繊維製品が、植物性パルプに楮パルプを混合した状態の紙製生地や綿状パルプからなっていることを特徴とする。
【考案の効果】
【０００６】
この考案では、棺には、棺の内側を冷却するための棺用冷却ユニットが設けられ、棺の内部には布団冷却ユニットおよびまたは枕冷却ユニットが配置されるので、小さい電力で効果的に冷却することができ、既存の棺を利用することができる。
また、電子冷却素子の冷却面側にはアルミニウム盤やアルミニウム粉末を混入したシリコンゴムシートを設けることで冷却の熱伝導を高めることができる。
また、棺用冷却ユニットに送風ファンを設けることで棺への冷却効果を高めることができる。
更に、火葬に際して、前記冷却ユニットを棺から除去するが、残留した繊維製品は紙を素材としているので、火葬に際して火葬炉を高熱で損傷することがない。
【図面の簡単な説明】
【０００７】
【図１】図１は棺の板材の一例を示す平面図である。
【図２】図２は棺用冷却ユニットの一例を示す模式図である。
【図３】図３は棺構造の一例を示す斜視図である。
【図４】図４は棺構造を説明するための断面図である。
【考案を実施するための形態】
【０００８】
棺構造１は、棺１０の上部に設けられる棺用冷却ユニット２と、棺１０内部に配置される布団冷却ユニット４および枕冷却ユニット６とからなっており、簡単な構造で棺の冷却を効率的に実現した。
【実施例１】
【０００９】
以下にこの考案の棺構造１の好適実施例について図面を参照しながら説明する。
ここで用いる棺１０は、公知の構造のものでよいが、本実施例では棺１０を構成する板材１２が多数の二等辺三角形の集成材１１を、上下を交互に逆転させて、隣接する集成材１１、１１の斜辺をボンドなどの木材用接着剤で接着し、貼合せの締付（圧着）を行って１枚の正方形や長方形とした板材１２を用いているので、無垢材に比して約半分の板厚となっているものを用いている（図１参照）。
【００１０】
［棺用冷却ユニット］
棺用冷却ユニット２は、電子冷却素子の一例としてペルチェ素子Ｐが用いられている。
即ち、棺冷却ユニット２となるペルチェ素子Ｐは、２種類の半導体（Ｐ型とＮ型）を直列につないで直流電流を流すと、熱の移動が起きて前記素子の両側で温度差が生じるペルチェ効果を利用した周知の半導体素子であり、本実施例では複数の半導体素子および金属電極を２枚のセラミック基板で挟んだ構成からなっている。
【００１１】
ペルチェ素子Ｐに電流を流すことで、前記２枚のセラミック基板の間に温度差が生じ、このとき、高温側のセラミック基板をヒートシンクＨで放熱すると、低温側のセラミック基板側を冷却面とすることができる。
本実施例ではヒートシンクＨの外側にさらに送風ファンＦが設けられた構造からなっており、外気への排熱を行うようになっている。
【００１２】
また、本実施例では、前記棺冷却ユニット２の下面である冷却面側に棺１０の上縁に隙間なく載せられる大きさのアルミニウム板３が固定されており、冷却効果を高めている（図２参照）。
ここで、棺用冷却ユニット２は、冷却面側の前記アルミニウム板３を棺１０の遺体の頭部が配置される側に対応する棺１０の上部に配置することが好ましいが、その他の場所に配置してもよい。
これは、棺１０の内部に後述の布団冷却ユニット４と枕冷却ユニット６とが、遺体の頭部や頭部近傍の身体の部分に配置されるので、棺１０内でその部分に排熱が集まるからである。
【００１３】
なお、棺用冷却ユニット２の仕様の一例を挙げると、棺内容積が１３０ｌ、使用電源がＤＣ１２Ｖ、またはＡＣ１００Ｖ、消費電力がＤＣ１２Ｖ、４５０Ｗ（３．７５Ａ）、またはＡＣ１００Ｖ、６００Ｗ、保冷温度が［強冷］６℃〜０℃、（室内周囲温度２５℃）、保冷方法が電子冷却方式（半導体）となっている。
【００１４】
［布団冷却ユニット］
布団冷却ユニット４は、前記棺用冷却ユニット２と同様に、電子冷却素子の一例としてペルチェ素子Ｐが用いられている。
このペルチェ素子は、アルミニウムの粉末を混入したシリコンゴムシート５などの熱伝導性の優れたシート状部材によって覆われており、冷却、排熱のそれぞれの熱伝導を高めている。
【００１５】
そして、この布団冷却ユニット４は、棺１０内に敷設される掛け布団２０の内側で、布団冷却ユニット４の冷却面が下向きに配置され、冷却面側が遺体の身体側に向くように配置される。
これにより、掛け布団２０で覆われた遺体の身体部分を直接に冷却することができる。
この布団冷却ユニット４は、ペルチェ素子の排熱側にヒートシンクなどの放熱部を設けることが好ましいが送風ファンは取り付けない。
【００１６】
［枕冷却ユニット］
枕冷却ユニット６は、前記布団冷却ユニット４と同様に、電子冷却素子の一例としてペルチェ素子Ｐが用いられている。
このペルチェ素子は、アルミニウムの粉末を混入したシリコンゴムシート７によって覆われており、冷却、排熱のそれぞれの熱伝導を高めている。
この枕冷却ユニット６も、ペルチェ素子の排熱側にヒートシンクなどの放熱部を設けることが好ましいが送風ファンは取り付けない。
【００１７】
そして、この枕冷却ユニット６は、棺１０内に敷設された敷き布団２１の上で、掛け布団２０の外側に置かれた枕３０の上に、枕冷却ユニット６の冷却面が上向きになるように配置され、冷却面側が遺体の頭部後方に向くように配置される。
これにより、枕３０の上の遺体の頭部を局所的に直接に冷却することができる。
この枕冷却ユニット６は、ペルチェ素子の排熱側にヒートシンクなどの放熱部を設けることが好ましいが送風ファンは取り付けない。
【００１８】
この考案で、各冷却ユニットは１つでもよいし、必要に応じて複数設けてもよい。
また、各冷却ユニットへの給電は個別に行ってもよいし、１つの電源Ｖまたは室内コンセント（図示せず）に直列または並列につなげて行ってもよい。
また、棺構造１は、棺用冷却ユニット２と布団冷却ユニット４、または棺用冷却ユニット２と枕冷却ユニット６との組み合わせで用いてもよい。
【００１９】
［火葬用繊維製品］
次に、前記各冷却ユニットは、火葬に際しては棺１０から取り外されるが、棺１０に収納されて、棺１０と共に火葬される繊維製品として、経帷子２５や白い肌着、敷き布団２１や掛け布団２０、枕３０、綿などの棺１０に残留する繊維製品は、従来、化学繊維が使用されていた。
【００２０】
火葬炉は、高熱となる炉内を耐火レンガなどで囲んでいるが、大半の寝具の布地には化学繊維が使われているため、バーナーの炎で燃やすと、約１，２００℃の高温になるため、それが繰り返されると前記火葬炉の中の耐火レンガの耐用年数が約２年程度となる。
これは、最高温度が約８００℃での通常の使用の場合で約８年の耐用年数があるものに対して１／４の年数で使用不能になり、各地の火葬場管理者にとって大きな負担になっている。
【００２１】
そこで、火葬炉の耐用年数を伸ばすために、棺１０と共に火葬される前記経帷子や肌着、敷布団や掛け布団、それらの綿などの繊維製品の素材を全て紙とすることで、炉内の最高温度は６００〜８００℃程度の通常の火葬温度にとどめることができ、耐用年数を短縮させるようなことはない。
また、素材が紙なので経済的でもある。
【００２２】
素材となる生地には、一般の紙の原料として杉や檜などのパルプや古紙のパルプが用いられるが、この考案では、和紙に使用される楮のパルプを加えて作られる。
即ち、上記の原料からパルプを抽出し、機械式の紙すき機で梳き、脱水・乾燥して、和紙のような強度を有する紙の生地を作る。
そして、この紙製の生地を用いて経帷子や肌着、敷き布団や掛け布団の袋部分は縫製によって仕上げられる。
布団などに内蔵する綿は、紙を原料とする綿状パルプが用いられ、前記袋に充填される。
【００２３】
このように、棺１０内には、遺体の他には紙を原料とする繊維製品が収納されるので、火葬に際して通常の火葬温度で燃焼することができる。
また、前記掛け布団２０やその他の繊維製品の色彩や模様（図柄）などは、草木、葉等の植物由来の染料を用いて染色することができる。
また、図柄として、例えば、白色菊・黄色菊・家紋などの模様を染色することもでき、植物性であるので火葬温度が高くなることがない。
この考案は上記実施例に限定されるものではなく、要するに、この考案の要旨を変更しない範囲で種々設計変更することができる。
【符号の説明】
【００２４】
１    棺構造
２    棺用冷却ユニット
３    アルミニューム板
４    布団冷却ユニット
５、７  シリコンゴムシート
６    枕冷却ユニット
１０    棺
１１    集成材
１２    板材
２０    掛け布団
２１    敷き布団
２５    経帷子
３０    枕
Ｈ    ヒートシンク
【図１】
0003202200.tif 000003
【図２】
0003202200.tif 000004
【図３】
0003202200.tif 000005
【図４】
0003202200.tif 000006